【事件の表示】
　特許第３１２５３２４号「写真画像の編集機能付きプリンタ」の請求項１ないし３に係る特許に対する特許異議の申立てについて、次のとおり決定する。
【結　論】
　訂正を認める。
　特許第３１２５３２４号の請求項１ないし２に係る特許を取り消す。
【理　由】
［１］手続の経緯
　本件特許３１２５３２４号の発明は、平成３年５月２０日に特許出願され、平成１２年１１月２日にその特許の設定登録がなされ、その後、請求項１ないし３に対して、異議申立人溝呂木寛および異議申立人相原光政より特許異議の申立がなされ、取消理由通知がなされ、その指定期間内である平成１３年１２月２５日に訂正請求書および特許異議意見書が提出されたものであり、その後両異議申立人に審尋書が送付され回答書が提出されたものである。
　
［２］訂正の適否についての判断
［２−１］訂正の内容
　特許権者が求めている訂正の内容は、以下のとおりである。
（ａ）特許請求の範囲の請求項１ないし３を次のとおりに訂正する。
　「【請求項１】　写真画像を印刷するプリンタであって、
　写真画像データが記録された記録媒体から写真画像データを読み出すデータ読み取り手段と、
　前記読み出された写真画像
の各々に対して番号を付加した上で、該番号を付加した写真画像を常に一画面に所定数だけ
　
所定数の
写真
　前記選択された写真画像
を表示した上で、該写真画像
　前記選択された写真画像を印刷する印刷手段と
、
　【請求項２】　前記表示手段がタッチパネルからなる
請求項１記載
（ｂ）発明の詳細な説明の項の段落【０００６】［課題を解決するための手段］、段落【０００７】［作用］、段落【００２９】、段落【００３５】および段落【００３７】［発明の効果］を訂正明細書の記載のとおりに訂正する。
［２−２］訂正の目的の適否、新規事項の有無及び拡張・変更の存否
　上記（ａ）の訂正事項は、明細書の実施例の記載に基づいて、特許明細書の請求項１の写真画像の編集機能付きプリンタをさらに限定するものであり、訂正前の請求項２を削除し、訂正前の請求項３を請求項２とするものであるから、特許請求の範囲の減縮及び明りょうでない記載の釈明に該当するものであって、新規事項の追加に該当しない。
　上記（ｂ）の訂正事項は、上記（ａ）の訂正事項による特許請求の範囲の減縮にともなってこれと整合を図るために発明の詳細な説明の項を訂正し、また、誤記の訂正を行うものである。
　したがって、上記（ａ）（ｂ）の訂正は、特許明細書の記載に基づいて、特許請求の範囲を更に限定し、特許請求の範囲の減縮または誤記の訂正または明瞭でない記載の釈明に該当するものであって、新規事項の追加に該当せず、実質的に特許請求の範囲を拡張又は変更するものではない。
［２−３］
　以上のとおりであるから、上記訂正は、特許法等の一部を改正する法律（平成６年法律第１１６号）附則第６条第１項の規定によりなお従前の例によるとされる、特許法第１２０条の４第２項及び第３項において準用する平成６年法律第１１６号による改正前の特許法第１２６条第１項ただし書、第２項及び第３項の規定に適合するので、当該訂正を認める。
　
［３］特許異議の申立てについての判断
［３−１］本件発明
　上記訂正が認められるから、本件請求項１ないし２に係る発明（以下、それぞれ「本件発明１ないし２」という。）は、訂正明細書の特許請求の範囲の請求項１ないし２に記載されたとおりのものである。（上記［２−１］の【請求項１】、【請求項２】のとおり）
［３−２］引用刊行物記載の発明
［３−２−１］　当審が通知した取消理由に引用した特開平２−１３７４７１号公報（異議申立人相原光政の提出した甲第１号証。平成２年５月２５日出願公開、以下「刊行物１」という。）には、「画像形成装置」に関して、
　（１ａ）「画像情報を記憶する記憶装置からの画像情報を媒体に画像形成する画像形成する画像形成装置であって、前記画像記憶装置に記憶された画像データを表示画面上に複数個を表示した状態で表示された複数個の画像から任意の複数を選択する手段、該選択手段によって選択した複数の画像データを、夫々前記画像形成媒体の所望の位置に画像形成する画像形成手段とを備えることを特徴とする画像形成装置。」（公報、特許請求の範囲）が記載され、さらに具体的に、
　（１ｂ）「ＳＶ録再生機３１は、ＳＶカメラで撮影し、ＳＶフロッピーに記録された画像情報を再生し、アナログビデオ信号として出力する装置である」（公報２頁左下欄８〜１０行）、
　（１ｃ）「モニタテレビ３２は、画像記憶装置３に記憶している画像の表示やＳＶ録再生器３１から出力されているアナログビデオ信号の内容を表示する装置である。」（公報２頁左下欄１４行〜１７行）、
　（１ｄ）「１つのＳＶジャケットの中に記憶されている画像は複数画像、例えば５０であり、１枚のプリント出力にする場合、記憶されているＳＶ画像の中から任意の画像を選択し、出力のレイアウトを行うことができる。第２４図は、本実施例における手順と本実施例に依り得られるイメージを表わす。まず、ＳＶジャケット内に登録されている画像をすべて縮小し、ＳＶジャケットに登録されている順（以下インデックスＮｏという）にレイアウトした１面の画像をＲＯＭ４３７０にあらかじめ記憶されているサイズに従って作成する（Ｓ０１〜Ｓ０３）。即ち、画像記憶装置３のＣＰＵ４３６０は、ＳＶジャケット内に登録されている順に入力ＳＶビデオ画像を読み出し（Ｓ０１）」（公報１３頁左上欄１８行〜右上欄１２行、第２４図参照）、
　（１ｅ）「ＳＶジャケット内の全画像データを１画面に縮小しレイアウトした画像（以下インデックス画面という）がモニタ４上に表示される。」（公報１３頁右下欄４〜６行、第２４図参照）、
　（１ｆ）「コントロールユニット１３は操作部２０の液晶タッチパネル上にＳＶインデックス画面に対応したＳＶジャケット内のインデックスＮｏを表示する（Ｓ０６）。操作者は複数のＳＶ画像が表示されているインデックス画面の中から所望するＳＶ画像のＮｏをタッチパネル上に表示されているインデックスＮｏ部分をおすと、これを受けつけ、コントロールユニット１３側が指定されたＳＶのインデックスＮｏを判別し、コントロールユニット１３内の記憶領域にそのインデックスＮｏを記憶する（Ｓ０６）。」（公報１３頁右下欄７〜１６行、第２４図参照）、
　（１ｇ）「操作部２０上のプリントキーがオンされたならば、・・・コントローラユニット１３内の記憶領域に記憶されたインデックスＮｏ順にＳＶジャケット内から縮小をおこなわない等倍の画像データを読み込む。（中略）その後、これらの画像をコントロールユニット１３内の記憶してある位置・サイズ情報に基づいて、カラープリンタ２で記録する各画像のレイアウトをおこない出力する（Ｓ１１）」（公報１４頁左上欄１３行〜左下欄１行、第２４図参照）と記載されている。
［３−２−２］
　同じく引用した特開平２−１４２２８１号公報（異議申立人相原光政の提出した甲第２号証、平成２年５月３１日出願公開、以下「刊行物２」という。）には、「電子カメラ」に関して、
　（２ａ）「電子画像器（イメージャ）を備えたカメラにはこれの裏側部分に取り付けられた複数の表示フレーム記憶装置が設けられている。接触感知性媒体のような選択装置が表示フレーム記憶装置の上に置かれていてこの選択装置が複数の表示フレーム記憶装置のそれぞれと関係しているので、撮影者は特定の画像フレームに近い上掛けに接触することによって複数の表示画像からどの画像が確保されるべきであるかを選択することができる。」（公報４頁右上欄９〜１８行）、
　（２ｂ）「選択装置４０は、人がこれに接触したときに撮影者の指の位置に対応してＸＹ座標信号を与える共通接触スクリーン形式のものである。選択電子回路はそれゆえ表示記憶装置１４のそれぞれの位置に対応して独特の選択信号を与える。」（公報５頁右上欄４〜９行）と記載されている。
［３−２−３］
　同じく引用した特開昭６４−５７３７２号公報（異議申立人相原光政の提出した甲第３号証、昭和６４年３月３日出願公開、以下「刊行物３」という。）には、「カタログ編集システム」に関して、
　（３ａ）「画像修正手段２ｄは、画像割付け手段２ｃが表示手段３に対して割り付けた文字原稿画像、写真原稿画像、図形原稿画像の割付位置をエリア指示手段６により入力される移動位置情報に基づいて個別に移動修正し」（公報３頁右下欄１１〜１５行）、
　（３ｂ）「（ｂ）は写真原稿画像切り出し画面を示し、ポインティングデバイス６ｂにより表示手段３に表示された写真原稿画像１２の所望とする写真原稿画像エリアをピックした状態を示し、この写真原稿画像１２が画像切出し手段２ａにより切り出され、第３図に示した写真原稿レイアウト画面に割り付けられる。」（公報４頁左下欄１３〜２０行）と記載されている。
［３−２−４］
　同じく引用した特開昭６２−２９３８８２号公報（異議申立人溝呂木寛の提出した甲第１号証、昭和６２年１２月２１日出願公開、以下「刊行物４」という。）には、「写真プリントの作成装置」に関して、
　（４ａ）「現像済みフィルムまたはプリント画像は撮像手段により画像データに変換されてメモリに格納される。このメモリの格納データはデータ処理装置に取出され、ディスプレイ上に表示される。この表示画像を確認しながら、濃度レンジの補正を行う。併せてトリミング、レイアウト、変倍等の処理を行ってもよい。処理済み画像データはオンラインもしくはオフラインで昇華転写式プリンタに送られて受像紙にフィルム画像が形成される」（公報２頁左上欄８〜１６行）と記載されている。
　
［４］対比判断
［４−１］本件発明１について
　本件発明１と刊行物１に記載された発明とを比較すると、刊行物１に記載された発明の「画像情報（ＳＶ画像）」「画像形成装置」「表示画面（モニタ）」は、それぞれ本件発明１の「写真画像」「プリンタ」「表示手段」に相当している。
　刊行物１には、「画像記憶装置のＣＰＵ」がＳＶジャケット内に登録されている順に入力ＳＶビデオ画像を読み出すと記載されているので（上記（１ｄ）参照）、刊行物１に記載された発明は、「写真画像データが記録された記録媒体から写真画像データを読み出すデータ読み取り手段」に相当する手段を備えている。
　刊行物１に記載された発明の「表示手段」は、前記画像記憶装置に記憶された画像データを表示画面上に複数個を表示し（上記（１ａ）参照）、ＳＶジャケット内の全画像データを１画面に縮小しレイアウトした画像（以下インデックス画面という）を表示する（上記（１ｅ）参照）ものであるので、刊行物１に記載された発明は、「読み出された写真画像を一画面に複数表示する表示手段」を備えている。
　よって、本件発明１と刊行物１に記載された発明は、
「写真画像を印刷するプリンタであって、写真画像データが記録された記録媒体から写真画像データを読み出すデータ読み取り手段と、前記読み出された写真画像を一画面に複数表示する表示手段と、前記表示された複数の写真画像から印刷したい写真画像を選択する選択手段と、前記選択された写真画像を印刷する印刷手段と、を備える写真画像のプリンタ。」
である点で共通し、次の相違点で一応相違している。
　（相違点１）　本件発明１においては、「表示手段」が「写真画像の各々に対して番号を付加した上で、該番号を付加した写真画像を常に一画面に所定数だけ表示する」ものであり、「選択手段」が「表示された所定数の写真画像」から選択するのに対し、刊行物１に記載された発明においては、「表示手段」が「写真画像を一画面に複数表示する」ものであり、「選択手段」が「表示された複数の写真画像」から選択するものである点。
　（相違点２）　本件発明１は、「前記選択された写真画像を表示した上で、該写真画像のデータに編集処理を施す編集手段」を備える「編集機能付きプリンタ」であるのに対し、刊行物１に記載された発明は、選択された写真画像を指定された位置サイズでレイアウトする手段を備えるプリンタである点。
　上記相違点１について検討する。
  刊行物１には、ＳＶジャケットに登録されている順（インデックスＮｏ）に縮小しレイアウトした１面の画像を得ること、及び操作者は複数のＳＶ画像が表示されている表示手段のインデックス画面の中から所望するＳＶ画像のＮｏをタッチパネル上に表示されているインデックスＮｏ部分をおすことが記載され、第２４図には、インデックスＮｏが複数の画像の各々に付加されている画面がモニタの表示として図示されている。
　刊行物１に、一画面に表示される複数の写真画像の各々に番号が付加されているものが図示されている以上、本件発明１のように、読み出された写真画像の各々に対して番号を付加した上で、表示することは、当業者が適宜採用しうることである。
　なお、特許権者は、刊行物１におけるインデックスＮｏは、予め記憶されているもののように読みとれ、本件発明１においては、番号が予め記憶されていないように主張しているが、本件発明１は、番号が予め記憶されていないと限定するものではなく、特許請求の範囲の記載に基づかない主張であるので採用しない。なお、番号が予め記憶されているか否かにかかわらず、画像に番号を付加されているものが示されている以上、読み出された画像に番号を付加した上で、番号を付加した写真画像を表示することは当業者が適宜採用しうることである。
  また、刊行物１の実施例では、全画像データを１画面に縮小すると記載されているが、複数の画像を、常に一画面に所定数だけ表示することは、周知事項である。必要とあれば、特開昭６４−５１７７９号公報、特開平６４−４４１８１号公報３頁、特開平１−２２４７４５号公報を参照されたい（溝呂木寛及び相原光政の提出した審尋回答書の参考資料参照）。してみれば、全画像を一画面に表示するか、常に所定数だけ表示するかは、当業者が適宜採用しうることである。
　よって、刊行物１に記載された発明において、「表示手段」を、写真画像の各々に対して番号を付加した上で、該番号を付加した写真画像を常に一画面に所定数だけ表示するようにし、「選択手段」を、表示された所定数の写真画像から選択するようにすることは、当業者が容易に想到しうることである。
  上記相違点２について検討する。
　写真画像を表示した上で、該写真画像のデータに編集処理を施す編集処理手段は、刊行物３，４に記載されている（上記（３ａ）（３ｂ）（４ａ）参照）。
　刊行物１に記載された発明は、選択された写真画像を指定された位置サイズでレイアウトしてこれを印刷するものであり、編集処理の一種でもあり、編集処理を行うことを示唆しているので、刊行物１に記載された発明において、公知の上記編集処理手段を採用し、編集機能付きプリンタとすることは当業者が容易に想到しうることである。
　そして、本件発明１の作用効果は、刊行物１、３および４から予測される範囲内であり格別のものではない。
［４−２］本件発明２について
　本件発明２は、本件発明１を引用する発明であるので、本件発明２と刊行物１に記載された発明は、上記相違点１及び２を有し、次の相違点３でも一応相違している。
　（相違点３）　「表示手段」が、本件発明２は、「タッチパネルからなる」のに対し、刊行物１に記載された発明は、モニタテレビが例示されている点。
　上記相違点３について検討する。
　表示手段がタッチパネルからなるものは、刊行物２に記載されている（上記（２ａ）（２ｂ）参照）。
　刊行物１に記載された発明は、表示手段としてのモニタテレビと、表示された写真画像の中から選択する選択手段としてのタッチパネルの操作部が例示されているように、表示手段と選択手段を備えるものであるので、刊行物１に記載された発明において、選択手段の機能をも有する表示手段である、上記刊行物２に記載されたタッチパネルからなる表示手段を採用することは、当業者が適宜なしうることである。
　そして、上記相違点１ないし３を総合的に検討しても、本件発明２は、刊行物１ないし４に記載された発明に基づいて容易に想到しうるものであり、その効果も上記刊行物１ないし４から予測される範囲内であり格別のものではない。
　
［５］むすび
　以上のとおりであるから、本件請求項１及び２に係る発明についての特許は、特許法第２９条第２項の規定に違反してされたものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年４月１２日（２００２．４．１２）
【訂正の要旨】
　訂正の要旨
　▲１▼　訂正事項ａ
　請求項１ないし請求項３を特許請求の範囲の減縮及び明りょうでない記載の釈明を目的として下記の通り訂正する。
「　　【請求項１】　写真画像を印刷するプリンタであって、
　写真画像データが記録された記録媒体から写真画像データを読み出すデータ読み取り手段と、
　前記読み出された写真画像
の各々に対して番号を付加した上で、該番号を付加した写真画像を常に一画面に所定数だけ表示する
　前記表示された
所定数の
写真
　前記選択された写真画像
を表示した上で、該写真画像
　前記選択された写真画像を印刷する印刷手段と
、
を備える写真画像の編集機能付きプリンタ。
　【請求項２】　前記表示手段がタッチパネルからなる
請求項１記載
　▲２▼訂正事項ｂ
　段落【０００６】を明りょうでない記載の釈明を目的として下記の通り訂正する。
「　　【課題を解決するための手段】
　本発明に係る写真画像の編集機能付きプリンタは、写真画像を印刷するプリンタであって、写真画像データが記録された記録媒体から写真画像データを読み出すデータ読み取り手段と、読み出された写真画像
の各々に対して番号を付加した上で、番号を付加した写真画像を常に一画面に所定数だけ表示する
所定数の
写真
を表示した上で、写真画像
、
　▲３▼訂正事項ｃ
　段落【０００７】を明りょうでない記載の釈明を目的として下記の通り訂正する。
「　　【作用】
　本発明においては、データ読み取り手段により、写真画像データが記憶された記録媒体から写真画像データが読み出され、表示手段により、読み出された写真画像
の各々に番号を付加した上で、常に一画面に所定数だけ
所定数の
　▲４▼訂正事項ｄ
　段落【００２９】を誤記の訂正を目的として下記の通り訂正する。
「次に、図６の画面を得て図２に示す周知の動作をさせるプリントボタン２４をユーザが選択すると主制御部１０は、プリント２８に印刷する準備をし、表示制御部８により、操作
メッセージ
　次に、ユーザはスクロールキー表示２６によりカーソルをフィルム枚数３８の領域に合わせ番号を選択する。」
　▲５▼訂正事項ｅ
　段落【００３５】を誤記の訂正を目的として下記の通り訂正する。
「さらに、上記実施例では
タッチパネル
　さらに、上記実施例では初期設定として、オペレータによる記録媒体の指示としたが自動的に種類及びサイズを判断設定してもよい。」
　▲６▼訂正事項ｆ
　段落【００３７】を明りょうでない記載の釈明を目的として下記の通り訂正する。
「　　【発明の効果】
　以上のように、本発明によれば、データ読み取り手段により、写真画像データが記憶された記録媒体から写真画像データを読み出し、表示手段により、読み出された写真画像
の各々に番号を付加した上で、常に一画面に所定数だけ
所定数の
（５４）【発明の名称】
写真画像の編集機能付きプリンタ
（５７）【特許請求の範囲】
　【請求項１】　写真画像を印刷するプリンタであって、
　写真画像データが記録された記録媒体から写真画像データを読み出すデータ読み取り手段と、
　前記読み出された写真画像
の各々に対して番号を付加した上で、該番号を付加した写真画像を常に一画面に所定数だけ表示する
　前記表示された
所定数の
写真
　前記選択された写真画像
を表示した上で、該写真画像
　前記選択された写真画像を印刷する印刷手段と
、
を備える写真画像の編集機能付きプリンタ。
　【請求項２】　前記表示手段がタッチパネルからなる
請求項１記載
【発明の詳細な説明】
　【０００１】
　【産業上の利用分野】
　本発明はプリンタに関し、特に記録媒体から写真画像を読み出して表示し、選択された画像を必要に応じて編集処理して印刷できる写真画像の編集機能付きプリンタに関するものである。
　【０００２】
　【従来の技術】
　従来、ビデオカメラ又はビデオデッキなどに接続し、そのビデオ信号出力を表示器に表示し、ライトペン等により液晶表示器の上に備えられたタッチパネルにイラスト、文字等を描いたり、映像を編集してその映像をビデオデッキのビデオテープに記録させる記録映像編集装置があり、また、ビデオ信号を入力し、その静止画を印刷するビデオプリンタがあった。
　【０００３】
　また、スチィルビデオカメラによって撮影された写真画像は、ビデオ信号として出力し、記録映像編集装置やビデオプリンタにより編集／印刷するのが一般的であった。
　また、スチィルビデオカメラによって撮影された写真画像を、プリンタが接続されたコンピュータなどで直接写真画像データとして読み取り、そのコンピュータにより、画像の編集やプリンタから写真画像の印刷することも行われていた。
　【０００４】
　【発明が解決しようとする課題】
　上記のような、従来の記録映像編集装置やビデオプリンタなどにより、スチィルビデオカメラによって撮影された写真画像を編集／印刷する場合では、画像データをビデオ信号に変換しなければならず、印刷する写真画像の画質が低下してしまうという問題点があった。
　また、コンピュータとプリンタにより、スチィルビデオカメラによって撮影された写真画像を編集／印刷する場合では、写真画像を印刷するためにコンピュータとプリンタを用意しなければならず、印刷するためのシステム構成が複雑になり、印刷操作も複雑になってしまうという問題点があった。
　【０００５】
　本発明はこのような問題点を解決するためになされたもので、スチィルビデオカメラによって撮影された写真画像を、簡単なシステム構成かつ簡単な操作で編集／印刷することのできる写真画像の編集機能付きプリンタを得ることを目的とする。
　【０００６】
　【課題を解決するための手段】
　本発明に係る写真画像の編集機能付きプリンタは、写真画像を印刷するプリンタであって、写真画像データが記録された記録媒体から写真画像データを読み出すデータ読み取り手段と、読み出された写真画像
の各々に対して番号を付加した上で、番号を付加した写真画像を常に一画面に所定数だけ表示する
所定数の
写真
を表示した上で、写真画像
、
　【０００７】
　【作用】
　本発明においては、データ読み取り手段により、写真画像データが記憶された記録媒体から写真画像データが読み出され、表示手段により、読み出された写真画像
の各々に番号を付加した上で、常に一画面に所定数だけ
所定数の
　【０００８】
　【実施例】
　図１は本発明の写真画像の編集機能付きプリンタの概略構成図である。図において、１は露光済の感光性ハロゲン化銀を含有する写真感光材料を現像したもの（以下ネガフィルムという）、２は送り機構部であり、少なくともネガフィルム１のサイズに応じて、適切に内部に送るためのスプロケットの幅を自動調整するサイズ調整手段であるスプロケット駆動部を有し、その後に後述するコントローラからの指示に基づいてスプロケット駆動部を調整し、フィルム１が挿入された場合に確実にネガフィルムを挟み、内部に送込むようにするものである。
　【０００９】
　３は写真映像読取部であり、内部にフィルムの種類に応じて調整されるレンズフィルタを有し、後述する主制御部から知らせられる種類に応じてレンズフィルタ等を調整し、画素感度を調整する映像情報調整手段を有して、撮影準備終了信号を出力し、後述するコントローラから映像撮影信号が出力されると、送り機構部２により送られてきたネガフィルム１のこま映像を光学的にスキャンしながら読み込んで、その都度映像信号として出力する映像読込手段を有するものである。
　この場合は光源をパイロットランプ等とし、映像撮像素子により、フィルムの映像を電気信号に変換する。
　なお、記録映像情報調整の手段はレンズフィルタ等を使用しなくとも、電気信号に変換後も適宜行うことが出来る。
　【００１０】
　４はコントローラであり、後述する主制御部からネガフィルム１のサイズが知らせられると、そのサイズにスプロットが自動調整されるようにスプロケット駆動部を制御する制御信号を出力し、スプロケットの調整が終了すると、後述する主制御部に対して挿入準備終了信号を出力し、さらにネガフィルム１が挿入された後に、主制御部からフィルムを内部に取込む指示信号があると、スプロケット駆動部を駆動させると共に、映像撮影信号を写真映像読取部３に出力するものである。
　【００１１】
　５は前処理部であり、写真映像読取部３からの映像信号を入力し、ノイズを除去した後に、Ａ／Ｄ変換して映像信号を多値化にした映像データ（以下写真映像データという）として出力するものである。
　６は液晶表示部、６ａは液晶表示部６の上に備えられたタッチパネル、７はタッチパネル６ａの所定の座標位置が例えば、ライトペン等で押されるとその座標位置に対応する信号を出力するものである。８は表示制御部、９は写真を印刷するプリント部である。
　【００１２】
　１０は主制御部であり、内部にプロセッサを有し、操作部１７からの指示信号に基づいて、各部を制御し、特に後述するネガスキャナボタンが選択されると、後述する初期設定画面を表示させ、その設定項目をコントローラ４及び写真映像読取部３に知らせ、それぞれから準備終了信号が入力するとネガフィルムを写真映像読取部３に挿入させるメッセージを表示制御部６により液晶表示部６ａに表示させ、ネガフィルム１が挿入されるとコントローラ４を制御して写真映像読取部３にネガフィルム１を所定のタイミングでスキャンさせるためにコントローラ４に対してフィルムを内部に取込む指示信号を出力し、前処理部５から入力する写真映像データに基づいて、所定の映像を得て液晶表示部６ａに表示させるものである。また、操作部１７の指示に応じて周知の編集又は記憶等を少なくともするものである。
　【００１３】
　１１はスチィルビデオカメラにより撮影された映像がこま単位で記録されたフロッピィ、１２は再生・編集した映像を記憶するフロッピィ、１３はフロッピィ１１が挿入されると、そのフロッピィ１１を制御して記憶されている映像データを磁気ヘッドで読込み出力するフロッピィディスクドライブ（以下ＦＤＤ部１という）、１４はフロッピィ１２が挿入されると、そのフロッピィ１２を制御して記憶されている映像データを磁気ヘッドで読込み出力するフロッピィディスクドライブ（以下ＦＤＤ部２という）、１５は各種データが主制御部１０によって記憶され、取出されるＲＡＭ、１６は各種プログラム及び比較情報が記憶され、主制御部１０によって読込まれるＲＯＭである。
　【００１４】
　１７は操作部であり、フロッピィ１２からデータを取出し液晶表示部５に表示させるデータ取出ボタン、電源スイッチ、トリミングボタン、文字合成ボタン、ネガフィルム１の映像を読込みさせるスキャナボタン、ビデオ画像入力ボタン、カラーバランス調整ボタン、写真映像を印刷させるプリントボタン等を有するものである。
　１８はビデオデッキ又はビデオカメラとデータの伝送及び指示信号を伝送するビデオ伝送制御部である。
　【００１５】
　図２は本発明の写真画像の編集機能付きプリンタの外観図である。図において、１〜１２は上記図１と同様なものである。
　２０は電源スイッチ、２１はトリミングボタン、２２はカラー調整ボタン、２３は文字合成ボタン、２４はプリントボタン、２５はスキャナーボタン、２６はビデオ画像入力ボタン、２８はプリント、２９は映像呼出しボタンである。このようなボタンが操作部１７に備えられている。
　【００１６】
　上記のように構成された写真画像の編集機能付きプリンタについて以下に動作を説明する。この場合は、すでにＡ社の撮影現像済のネガフィルムが６こまを１つのネガフィルムとして写真映像読取部３の挿入口（図示せず）にセットされているとする。
　このような状態で、スキャナーボタン２５を選択した場合の動作について説明する。
　【００１７】
　図３はスキャナーボタンを選択した場合の初期画面を説明する図である。図において、ネガフィルムを読み取る（以下スキャンという）ための初期設定表２１を表示し、その表には少なくともフィルム会社、挿入されたフィルムサイズ、フィルム枚数を設定する選択項目を表示すると共に、指示キー表示領域２３を有し、初期設定表２１に表示された選択項目をユーザが選択した場合に、その選択が誤りであったときに訂正する訂正キー表示２４、選択した選択項目を確認指示する確認キー表示２５、カーソル２８を所定の位置に移動させるスクロールキー表示２６を表示し、かつ操作メッセージ領域２７を有して、所定のメッセージを表示していることを示す図としたものでる。
　【００１８】
　例えば、ユーザがスキャナーボタン２５を選択したとすると、主制御部１０はその信号からスキャナーボタン２５が押されたと判断し、ＲＯＭ１６から対応するプログラム及びデータを読み、そのプログラムに基づいて表示制御部８にデータを出力して図３の初期画面を表示させる。
　【００１９】
　そして、ユーザがフィルム会社、フィルムサイズ、フィルム枚数等の所定の選択項目を選択すると、タッチパネル６ａはその位置座標に対応する信号をパネルコントローラ７に出力し、選択項目がなんであるかを知らせる信号を主制御部１０に出力する。
　主制御部１０は選択された項目をＲＡＭ１５に記憶し、確認キー表示が選択されると、その選択項目をレジスタに設定する。
　【００２０】
　次に、主制御部１０はレジスタに設定された選択項目に基づいて、写真映像読取部３に少なくともフィルム会社を知らせ、かつコントローラ４にフィルムサイズを知らせる。
　写真映像読取部３はフィルム会社（フィルムの種類）が知らせられると、挿入されたネガフィルム１はフィルム会社によって多少感光性が相違するため、その相違を相殺あるいは強調するために内部に備えているレンズフィルタ等を対応するフィルタにし、またコントローラ４はフィルムサイズが知らせられると、そのサイズにスプロケットが自動調整されるようにスプロケット駆動部を制御する制御信号を出力し、スプロケットの調整が終了すると、主制御部１０に対して挿入準備終了信号を出力する。
　【００２１】
　この、準備が終了するれば主制御部１０はＲＡＭ１５からＲＯＭ１６のプログラムに基づいて、次の画面データを読み表示制御部８に出力し、表示制御部８により以下に説明する画面を表示する。
　【００２２】
　図４は初期画面の次に表示される画面を説明する図である。図において、３０は指示キー表示領域２３に表示された中止キー表示であり、スキャンを中止する場合に選択されるものである。
　３１は指示キー表示領域２３に表示されたスタートキー表示であり、選択されると写真映像読取部３、コントローラ４等を動作させてネガフィルム１をスキャンさせるものである。
　【００２３】
　図５はネガフィルムをスキャンしている場合に表示される画面を説明する図であり、図において、５〜３１は上記と同様なものである。同図は、スタートキー表示が選択されたことを示すために識別色を付加して表示していることを示すものである。
　【００２４】
　次に、ユーザが図４に示す画面状態のときにスタートキー表示３１が選択されると、パネルコントローラ７はタッチパネル６ａからの座標位置に基づいて、スタートキー表示３１と判断し、主制御部１０はコントローラ４及び写真映像読取部３を動作させる指示信号を出力する。
　次に、写真映像読取部３及びコントローラ４は図３の初期画面のときに設定されたフィルム会社及びフィルムサイズに基づいて、上記説明のようにフィルタ及び送り機構部２を制御する。
　【００２５】
　そして、写真映像読取部３は送り機構部２によって送られたフィルム１を光学部が順次スキャンしなたがら読込み映像信号として順次前処理部５に対して出力する。
　前処理部５は、ノイズの除去した後に、Ａ／Ｄ変換して映像信号を多値化した写真映像データを出力する。
　次に、主制御部１０は写真映像データが入力する毎にＲＡＭ１５に記憶し、写真映像読取部３から挿入されたネガフィルム１の映像を全て読込んだとする映像読込終了信号が入力すると、記憶された写真映像データを記憶順に読み、コントラスト及び画素からフィルムのこま領域の写真映像データを得て、そのこま領域に番号を付加し、写真映像データを順番に表示制御部８に出力する。
　【００２６】
　次に、表示制御部８は送られてきた写真映像データをビデオ映像信号に変換して液晶表示部６に表示し、写真番号を所定の領域に表示する。この場合は、６こまを１画面として下図に示すように表示する。
　【００２７】
　図６は本発明の構成を用いてネガフィルムからの映像を表示した画面を説明する図である。図において、５〜３３は上記と同様なもので、３４は画面を前の画面にスクロールさせる前画面キー表示であり、３５は画面を後ろにスクロールさせる次画面キー表示である。これは、例えば挿入したネガフィルムが１２枚撮りであった場合に、表示するこまは最大６こまに設定しているため画面を一度に見ることができないので備えたものである。
　【００２８】
　３６は表示したこまの番号、３７は表示したフィルムのこま毎の映像（以下写真映像という）、３８は図３の説明で設定したフィルム枚数である。
　同図は、上記の構成にしたことによって現像済のネガフィルム１からの映像を写真映像データに変換して表示できたことを示し、また特に本画面でいえることは、番号６の写真映像のように失敗した映像フィルムがあること確認でき、かつユーザは必要な写真のみを印刷できるのである。
　【００２９】
　次に、図６の画面を得て図２に示す周知の動作をさせるプリントボタン２４をユーザが選択すると主制御部１０は、プリント２８に印刷する準備をし、表示制御部８により、操作
メッセージ
　次に、ユーザはスクロールキー表示２６によりカーソルをフィルム枚数３８の領域に合わせ番号を選択する。
　【００３０】
　そして、確認表示キーを選択すると、パネルコントローラ７はカーソルの位置から何番がおされたかを判断して主制御部１０に知らせる。
　主制御部１０は知らせられた番号に対応する番号の写真映像データをＲＡＭ１５からよみプリント部９に出力して印刷してプリント２８を出力する。
　また、図６に示す状態で周知の動作をさせる記憶キー表示（図示せず）が選択されると、挿入されているフロッピィ１１にＲＡＭ１５からの写真映像データを選択番号に基づいて記憶する。
　【００３１】
　次に、図２で示されているトリミングボタン２１、カラー調整ボタン２２、文字合成ボタン２３、ビデオ画像入力ボタン２６、映像呼出しボタン２９について説明するが、本処理動作は周知の技術であるので概略説明とする。
　トリミングボタン２１、カラー調整ボタン２２、文字合成ボタン２３等は主に編集作業をする場合に用いられ、記録したフロッピィ１１及び再生用のフロッピィ１２を初めに挿入し、映像呼出しボタン２９を選択してフロッピィ１１から写真映像を液晶表示部６に表示して編集作業をする。この場合はトリミングボタン２１が選択されたとし、すでに目的とする写真映像のみが選択されて液晶表示部６に表示されているとする。
　【００３２】
　図７はトリミングを説明する図である。同図はトリミングボタン２１を選択するすることにより、表示している画面上に所定の映像領域を抽出する枠を表示し、操作メッセージとしてトリミングする２点を指示するように表示し、そのトリミング点はスクロールキー表示２６により行えるものである。
　【００３３】
　図８はカラー調整を説明する図である。同図はカラー調整ボタン２２を選択することにより表示される画面であり、メッセージ領域にＲＧＢの色を決定する目盛バーを表示し、カーソルを移動させてその目盛バーの目盛に合わせて確認キー表示を選択することによって、映像の色が決定されることを示したものである。
　また、文字合成ボタン２３を選択することにより、主制御部１０が文字合成モードとなり、例えばライトペン等によってタッチパネルに書込まれた文章等を所定の領域に書込むと、その文章と映像を重ねて記憶し、さらにプリントができることを可能にする。
　【００３４】
　なお上記実施例では、現像されたフィルムとして説明したが写真映像読取部には、周知の現像機能を備えて、家庭でも現像及び編集表示を可能としてもよい。
　また、周知のようにビデオデッキ又はビデオカメラに接続しても上記の処理が可能になることはいうまでもない。
　また、上記実施例ではフィルムのサイズ、駒Ｎｏ、種類及び会社等をオペレータが指示するとしたがバーコードを付加しているフィルムであれば、そのバーコードに基づくフィルムのサイズ、駒Ｎｏ、種類及び会社等を写真映像読取部が読みコントローラに知らせてもよい。
　【００３５】
　さらに、上記実施例では
タッチパネル
　さらに、上記実施例では初期設定として、オペレータによる記録媒体の指示としたが自動的に種類及びサイズを判断設定してもよい。
　【００３６】
　この実施の形態では、記録媒体の種類及びサイズを判断設定し、内部に適切に送り込み映像情報を得るようにしたので、記録媒体の種類及びサイズにかかわらず表示、記録、編集、印刷が可能が可能となる。
　また、スチィルビデオカメラにより撮影された映像がこま単位で記録されたフロッピィ１１を、フロッピィディスクドライブ１３により読み取り、スチィルビデオカメラにより撮影された映像を編集／印刷することにより、簡単なシステム構成かつ簡単な操作で写真画像の編集／印刷を行うことが可能となる。
　【００３７】
　【発明の効果】
　以上のように、本発明によれば、データ読み取り手段により、写真画像データが記憶された記録媒体から写真画像データを読み出し、表示手段により、読み出された写真画像
の各々に番号を付加した上で、常に一画面に所定数だけ
所定数の
【図面の簡単な説明】
　【図１】
　本発明の写真画像の編集機能付きプリンタの概略構成図である。
　【図２】
　本発明の写真画像の編集機能付きプリンタの外観図である。
　【図３】
　スキャナーボタンを選択した場合の初期画面を説明する図である。
　【図４】
　初期画面の次に表示される画面を説明する図である。
　【図５】
　ネガフィルムをスキャンしている場合に表示される画面を説明する図である。
　【図６】
　本発明の構成を用いてネガフィルムからの映像を表示した画面を説明する図である。
　【図７】
　トリミングを説明する図である。
　【図８】
　カラー調整を説明する図である。
　【符号の説明】
　１　ネガフィルム
　２　送り機構部
　３　写真映像読取部
　４　コントローラ
　５　前処理部
　６　液晶表示部
　７　パネルコントローラ
　８　表示制御部
　９　プリント部
　１０　主制御部
　１５　ＲＡＭ
　１６　ＲＯＭ
　１８　ビデオ伝送制御部